(57)【要約】【課題】  例えば、所望のテレビ放送ネットワークを受信することが可能な放送受信装置に関して、受信できないと判定されたＴＶ放送ネットワークに切替指示することなく、ＴＶ放送ネットワークへの切替指示を無効化することを目的とする。【解決手段】  複数の異なるテレビ放送ネットワークから所望のテレビ放送ネットワークを切替選択して受信することが可能な放送受信装置２１において、前記各々のテレビ放送ネットワークの受信の可否をテレビ放送ネットワーク毎に判定する判定手段１４、１０と、前記判定手段１４、１０により受信ができないと判定されたテレビ放送ネットワークへの切替指示を無効化する無効化手段１４とを備えたものである。【選択図】  図１
2005318564.tif 000002
【特許請求の範囲】
【請求項１】
複数の異なるテレビ放送ネットワークから所望のテレビ放送ネットワークを切替選択して受信することが可能な放送受信装置において、
前記各々のテレビ放送ネットワークの受信の可否をテレビ放送ネットワーク毎に判定する判定手段と、
前記判定手段により受信ができないと判定されたテレビ放送ネットワークへの切替指示を無効化する無効化手段とを備えたことを特徴とする放送受信装置。
【請求項２】
前記判定手段は、所定のタイミングで前記テレビ放送ネットワーク毎に受信の可否を自動的に判定することを特徴とする請求項１に記載の放送受信装置。
【請求項３】
前記判定手段は、ユーザーの指示に応じて前記テレビ放送ネットワーク毎に受信の可否を判定することを特徴とする請求項１に記載の放送受信装置。
【請求項４】
前記判定手段により受信ができないと判定されたテレビ放送ネットワークをユーザーに報知し、該テレビテレビ放送ネットワークへの切替指示を無効化することをユーザーに確認させた後、該テレビ放送ネットワークへの切替指示を無効化することを特徴とする請求項１乃至３のいずれかに記載の放送受信装置。
【請求項５】
ユーザーが切替選択し得る受信テレビ放送ネットワークから、前記判定手段により受信ができないと判定されたテレビ放送ネットワークを削除することを特徴とする請求項１乃至４のいずれかに記載の放送受信装置。
【請求項６】
前記判定手段により受信ができないと判定されたテレビ放送ネットワークへの切替指示操作キーには、予め決められた他の機能を割り当てることを特徴とする請求項１乃至４のいずれかに記載の放送受信装置。
【請求項７】
前記判定手段の前段における物理的及び電気的要因による不具合を検出する検出手段を備え、
前記検出手段により不具合が検出された場合、前記判定手段は、前記テレビ放送ネットワークに対する受信の可否の判定を行わないことを特徴とする請求項１乃至６のいずれかに記載の放送受信装置。
【請求項８】
複数の異なるテレビ放送ネットワークから所望のテレビ放送ネットワークを切替選択して受信することが可能な放送受信方法において、
前記各々のテレビ放送ネットワークの受信の可否をテレビ放送ネットワーク毎に判定する判定ステップと、
前記受信ができないと判定されたテレビ放送ネットワークへの切替指示を無効化する無効化ステップとを有することを特徴とする放送受信方法。
【発明の詳細な説明】
【技術分野】
【０００１】
本発明は、複数の異なるテレビ放送ネットワークから所望のテレビ放送ネットワークを切替選択して受信することが可能な放送受信装置に関する。
【背景技術】
【０００２】
現在、放送受信装置において受信可能なテレビジョン（以下、テレビまたは、ＴＶという）放送ネットワークは、ＢＳ（Ｂｒｏａｄｃａｓｔｉｎｇ  Ｓａｔｅｌｌｉｔｅ；放送衛星）デジタル（以下、ＢＳＤという）放送と、ＣＳ（Ｃｏｍｍｕｎｉｃａｔｉｏｎｓ  Ｓａｔｅｌｌｉｔｅ；通信衛星）１デジタル（以下、ＣＳ１Ｄという）放送と、ＣＳ２デジタル（以下、ＣＳ２Ｄという）放送と、地上デジタル（以下、地上Ｄという）放送と、地上アナログ（以下、地上Ａという）放送がある。
【０００３】
これらのＴＶ放送ネットワークが受信できる放送受信装置は、複数のＴＶ放送ネットワークより番組を選択することになるから、リモートコントローラ（以下、リモコン装置という）にＴＶ放送ネットワーク切替キーが付されている。
【０００４】
従来の地上Ａ放送のみを受信する放送受信装置では、１つの周波数帯内で割り当てられた周波数に同調して受信するものでよかった。しかし、ＴＶ放送ネットワーク毎に、異なる周波数帯で異なる符号化方式の放送方式が定められているので、あたかも従来のチャンネルを替えるようにしてユーザーが視聴できるようにするには、ＴＶ放送ネットワークを直接指定する役割を持つダイレクトネットワーク切替キーや、ＴＶ放送ネットワークを所定の順番で呼び出し選択する役割を持つネットワークトグル切替キーといったＴＶ放送ネットワーク切替キーを付する必要がある。
【０００５】
しかしながら、従来、これらの切替キーによる操作は、ただ、単純に受信すべきＴＶ放送ネットワークを切替えているのみであった。だから、ＴＶ放送ネットワークで受信状態ができないものがあったとしても、受信状態の可否にかかわらず、全てのＴＶ放送ネットワークに対して、放送受信装置は受信を行なおうとする処理をしてしまう。
【０００６】
ここで、ＴＶ放送ネットワークとは、ＴＶ放送受信装置で受信可能なＢＳＤ、ＣＳ１Ｄ、ＣＳ２Ｄ、地上Ｄ、ＣＡＴＶ（Ｃａｂｌｅ  ＴＶ）に加え地上Ａを言い、さらに今後、通信衛星の変更により、新たに加わるものも含まれる。
【０００７】
しかしながら、ＴＶ放送ネットワークの受信の可否に関わらずにユーザーに選択指示されたＴＶネットワークに対して、情報取得処理や受信処理を選択指示される度に行なっていては、ユーザーが所望の放送ネットワークにある番組を視聴するまでに無駄な処理待ち時間が発生し、尚且つ待ち時間は改善されること無く受信処理を行なう度に発生してしまう。
【０００８】
そこで、特許文献１では、デジタル放送における受信の判定を、ＮＩＴ（Ｎｅｔｗｏｒｋ  Ｉｎｆｏｒｍａｔｉｏｎ  Ｔａｂｌｅ）といったネットワークで使用される周波数・変調方式等の物理的条件を含んだ伝送制御信号を取得することで行なうことに変えて、ＮＩＴよりもワード長の短いＰＡＴ（Ｐｒｏｇｒａｍ  Ａｓｓｏｃｉａｔｉｏｎ  Ｔａｂｌｅ）の取得状態を知ることで、ＴＶ放送ネットワークを切替えてからの受像するまでの時間を短縮することが提案されている。
【０００９】
また、特許文献２には、アナログ放送のチャンネルに相当する放送単位の提案であって、受信中に放送が受信できなくなった場合には自動的に他の放送を受信し、かつ全ての放送が受信できない場合には自動的に受信機の電源を切断することにより、操作性の向上を図る放送受信機が提案されている。
【特許文献１】特開２００４−２８９５３１号公報
【特許文献２】特開平２−９４８０９号公報
【発明の開示】
【発明が解決しようとする課題】
【００１０】
例えば、現在存在するＢＳやＣＳといったＴＶ放送ネットワークが、将来的に衛星放送の廃止や放送方式の切替等で存在しなくなる場合や、ＴＶ放送ネットワークが受信できなくなった事態が考えられる。このような場合であっても、受信できなくなるＴＶ放送ネットワークに対して切替指示や選択を可能な状態にしておくことは、受信可能なＴＶ放送ネットワークのみならず受信できなくなったＴＶ放送ネットワークに対してまでも、受信を行おうとする処理をすることであるから、受信できなくなったＴＶ放送ネットワークの切替処理を行なう分の余計な処理で必要以上に待ち時間が発生してしまうという問題がある。
【００１１】
また、特許文献１に開示された受信装置は、単にデジタル放送特有のパケット識別子の取得状態からＴＶ放送ネットワークの受信可否を簡易的に判断しているに過ぎないから、ＴＶ放送ネットワークの受信不能以外の原因によってＰＡＴが取得できなかった場合や、ＴＶ放送ネットワーク自体が終了してしまうような場合、ＰＡＴを持っていないＴＶ放送ネットワーク（例えば地上アナログ波）が混在するようなＴＶ放送ネットワークの場合には利用できない。
【００１２】
また、特許文献２では、単に地上アナログ波の受像に関してのみ放送が遷移するものであって、放送を受像しない場合は、ＴＶチャンネル単位である放送から次の放送へ自動的に遷移していくに過ぎない。だから、放送の受信可否の判定は行なわれているとしても、受信不能による対策は何ら講じられていない。よって、この遷移動作が行われる度に受信できない放送に対してまでも放送の切替指示がなされるため、放送受信装置は余分な動作をしている。
【００１３】
本発明は、上述のごとき実情に鑑みてなされたもので、例えば、複数の異なるテレビ放送ネットワークから所望のテレビ放送ネットワークを切替選択して受信することが可能な放送受信装置に関して、受信できないと判定されたＴＶ放送ネットワークに切替指示することなく、すなわち、受信ができないと判定されたＴＶ放送ネットワークへの切替指示を無効化することを可能とし、ユーザーに対して高い利便性を供与することができる放送受信装置を提供することを目的とするものである。
【課題を解決するための手段】
【００１４】
本願第１の発明は、複数の異なるＴＶ放送ネットワークから所望のＴＶ放送ネットワークを切替選択して受信することが可能な放送受信装置において、前記各々のＴＶ放送ネットワークの受信の可否をＴＶ放送ネットワーク毎に判定する判定手段と、前記判定手段により受信ができないと判定されたＴＶ放送ネットワークへの切替指示を無効化する無効化手段とを備えたことを特徴とする。
【００１５】
本願第２の発明は、所定のタイミングで前記ＴＶ放送ネットワーク毎に受信の可否を自動的に判定することを特徴とする。
【００１６】
本願第３の発明は、ユーザーの指示に応じて前記ＴＶ放送ネットワーク毎に受信の可否を自動的に判定することを特徴とする。
【００１７】
本願第４の発明は、前記判定手段により受信ができないと判定されたＴＶ放送ネットワークをユーザーに報知し、該ＴＶ放送ネットワークへの切替指示を無効化することをユーザーに確認させた後、該ＴＶ放送ネットワークへの切替指示を無効化することを特徴とする。
【００１８】
本願第５の発明は、ユーザーが切替選択し得る受信ＴＶ放送ネットワークから、前記判定手段により受信ができないと判定されたＴＶ放送ネットワークを削除することを特徴とする。
【００１９】
本願第６の発明は、判定手段により受信ができないと判定されたＴＶ放送ネットワークへの切替指示操作キーには、予め決められた他の機能を割り当てることを特徴とする。
【００２０】
本願第７の発明は、判定手段の前段における物理的及び電気的要因による不具合を検出する検出手段を備え、前記検出手段により不具合が検出された場合、前記判定手段は、前記テレビ放送ネットワークに対する受信の可否の判定を行わないことを特徴とする。
【００２１】
本願第８の発明は、複数の異なるＴＶ放送ネットワークから所望のＴＶ放送ネットワークを切替選択して受信することが可能な放送受信方法において、前記各々のＴＶ放送ネットワークの受信の可否をＴＶ放送ネットワーク毎に判定する判定ステップと、前記受信ができないと判定されたＴＶ放送ネットワークへの切替指示を無効化する無効化ステップとを有することを特徴とする。
【発明の効果】
【００２２】
本発明の放送受信装置によれば、ＴＶ放送ネットワークが存在しなくなった場合、存在しなくなったＴＶ放送ネットワークへの切替指示を無効化にすることにより、ユーザーに受信できないＴＶ放送ネットワークを選択させることを防ぐことが可能になる。従って、受信することができないＴＶ放送ネットワークに対する無駄な受信処理を省くことが出来るとともに、無駄な受信処理による受信待ち時間を無くすることができる。
【発明を実施するための最良の形態】
【００２３】
（実施形態１）
本発明の放送受信装置の実施形態１を、例えばテレビジョン放送受信装置について、図１乃至図５とともに説明する。ここで、図１は本実施形態に係る放送受信装置の構成を示すブロック図、図２はＴＶ放送ネットワークに関するデジタル放送の方式比較を示す図、図３は本実施形態に係るリモコン装置を示す外観図、図４は受信可否判定と無効化処理を示すフローチャート、図５は本実施形態に係るＴＶ放送ネットワーク切替処理フローチャートである。
【００２４】
本実施形態の放送受信装置は、図１に示すように、地上デジタル放送、ＢＳ／ＣＳ放送、地上アナログ放送に対して信号処理部１０がある。そして、放送受信装置２１は、地上デジタル、ＢＳ／ＣＳ、地上アナログ毎にアンテナ、チューナ及び復調部を必要とする。これは、本実施形態のデジタルテレビジョン放送が、図２に示すように、地上、ＢＳ、ＣＳの放送毎に各々異なった使用周波数帯や符号化方式を採用しているためである。ここで、信号処理部１０は、地上デジタル放送やＢＳ／ＣＳ放送により送信されたデジタル信号を処理する場合には、該デジタル信号に多重されている映像信号、音声信号、データ信号を分離（デマルチプレクス）するとともに、地上アナログ放送により送信されたアナログ信号を処理する場合には、該アナログ信号をデジタル信号に変換して、所定の処理を行うものである。
【００２５】
地上デジタルについては、地上デジタルアンテナ１に地上デジタルチューナ２が接続され、さらに、変調波から信号波を取り出すためにＯＦＤＭ復調部３が接続され、信号処理部１０に接続されている。この場合、信号処理部１０は、ＯＦＤＭ復調部３で復調された多重デジタル信号に対してデマルチプレクス処理を行う。また、ＢＳ／ＣＳデジタルについては、ＢＳ／ＣＳデジタルアンテナ４にデジタル信号を同調するＢＳ／ＣＳデジタルチューナ５が接続され、その後に信号波を取り出すためのＱＰＳＫ復調部６が接続され、信号処理部１０へと接続されている。この場合も、信号処理部１０は、ＱＰＳＫ復調部６で復調された多重デジタル信号に対してデマルチプレクス処理を行う。
【００２６】
最後に、地上アナログ波については、地上デジタルと共用した地上デジタルアンテナ１に地上アナログチューナ７が接続され、さらに、変調波から信号波を取り出すためにアナログ復調部９が接続され、信号処理部１０に接続されている。この場合、信号処理部１０は、アナログ復調部９で復調されたアナログ信号をデジタル信号に変換して、地上アナログ用の同調した周波数より、映像データと音声データとを分離する。
【００２７】
すなわち、信号処理部１０には、上述したＯＦＤＭ復調部３、ＱＰＳＫ復調部６、アナログ復調部８が接続されており、上述した経路によって送られてきた多重化信号を分離してそれぞれの後段に出力する処理を行なう。この出力信号を信号処理部１０と接続されたデータ処理部１１、映像処理部１２、音声処理部１３へ送り、各々で所定の処理を行った後に表示装置１７にて文字と音声と画像が再生されるよう接続されている。
【００２８】
次に、リモコン装置１８には操作部１９が付されており、これにより放送受信装置２１へ指示入力を行なう。また、指示入力による情報を受信するリモコン受信部１６は、適当な処理をする制御部１４と接続されており、リモコン装置１８を用いたユーザーによる指示内容に応じて、制御部１４は接続された各構成部を制御する。
【００２９】
次に、本実施形態に係るＴＶ放送ネットワークの受信可否判定処理は、主に制御部１４と、上述した信号処理部１０とで行なわれる。その処理結果に基づいて、ユーザーによる特定のＴＶネットワークに対する切替指示を無効化するように制御する。
【００３０】
実際は、受信可能なＢＳＤ、ＣＳ１Ｄ等の各々のＴＶ放送ネットワークに関する情報で、各々のＴＶ放送ネットワークが使用している周波数帯に関して、各々の周波数帯にある周波数での信号の状態を信号処理部１０より読み出す。次に、制御部１４にて、読み出したある周波数での信号が検波可能かどうか判定し、この判定結果を基に信号が検波できればそのＴＶ放送ネットワークは受信可能であると受信の可否判定をする。
【００３１】
このとき、あるＴＶ放送ネットワークでは信号波が検波されないなら、そのＴＶネットワークは受信不能であると判定する。その後、制御部１４にて受信不能であると判定されたＴＶ放送ネットワークに対しては、制御部１４でユーザーによる切替選択指示を無効にする制御を行なう。これによって、該ＴＶ放送ネットワークをユーザーが切替選択できないようにされる。
【００３２】
次に、本実施形態で用いるリモコン装置１８は、図３に示すように、少なくともネットワーク切替指示キー４０が付されており、ネットワーク切替キー４０を１回押下する毎に、ＢＳＤ→ＣＳ１Ｄ→ＣＳ２Ｄ→地上Ｄ→地上Ａ→ＢＳＤとＴＶ放送ネットワークのトグル切替を行なうことができる。
【００３３】
本実施形態では、初めに、各々のＴＶ放送ネットワークの受信の可否判定を信号処理部１０より読み出した該ＴＶ放送ネットワークの周波数帯中の周波数から信号波が検波されるかどうかで行なう。次に、受信の可否判定より、受信不能と判定されたＴＶ放送ネットワークをユーザーに報知する。その後、ユーザーに無効化の確認を行ない、受信不能と判定されたＴＶ放送ネットワークの切替指示を無効化するというものである。
【００３４】
本実施形態に係るＴＶ放送ネットワークの切替指示を無効化する処理を、図４のフローチャートと共に説明する。尚、説明中の処理上のステップは図４に付されたＳを示す。
【００３５】
まず、初めに、変数の初期化が行なわれる（ステップ１）。Ｎ（Ｎ：整数）は、ＴＶ放送ネットワークのネットワーク単位で識別するための変数、Ｍ（Ｍ：整数）は、放送受信装置２１で受信可能なＴＶ放送ネットワーク数、Ｆ（Ｎ）は、上述した変数Ｎに対応してＴＶ放送ネットワークの受信状態等を保存しておくフラグの役目を果たす。どのＴＶ放送ネットワークを選択して判定しているかは、“ＮＥＴ”に格納した変数Ｎの数値によって管理されている。
【００３６】
図４中のテーブルに示されるように、Ｎ＝１であれば、ＴＶ放送ネットワークとしてＢＳＤを選択しており、Ｎ＝２であれば、ＴＶ放送ネットワークとしてＣＳ１Ｄを選択しており、同様に、Ｎ＝３であればＣＳ２Ｄを、Ｎ＝４であれば地上Ｄを、Ｎ＝５であれば、ＴＶ放送ネットワークとして、地上Ａを選択している。また、“Ｍ”は、上述したようにＴＶ放送ネットワークの数であるから、本実施形態では、ＴＶ放送ネットワークとして、ＢＳＤ、ＣＳ１Ｄ、ＣＳ２Ｄ、地上Ｄ、地上Ａの５つ存在するためＭ＝５である。また、受信可否状態を格納するフラグはＦ（Ｎ＝１〜Ｍ）＝０に初期化する。
【００３７】
次に、“ＮＥＴ”＝Ｎにおける周波数帯の周波数で信号が存在するか調査する（ステップ２）。この場合、Ｎ＝１でＴＶ放送ネットワークはＢＳＤが選択されているので、図２に示されているように、ＢＳ放送での使用周波数帯（１１．７〜１２．２ＧＨｚ）での周波数の信号を信号処理部１０より読み出し、制御部１４にて信号が検波できるかどうかを判定する。
【００３８】
次に、ＴＶ放送ネットワークを受信可能と判定したのであればＮ＝Ｎ＋１にする（ステップ６）。この場合、Ｎ＝２になるから、“ＮＥＴ”＝２となり、次に、ＣＳ１Ｄの判定をする。その後、ステップ２より、Ｎ＝１の時同様に、ＣＳ１Ｄで使用される周波数帯でこの範囲にある周波数より信号が検波できるか判定をする。
【００３９】
次に上述したステップ３において、“ＮＥＴ”＝１（ＢＳＤ）ではＢＳＤの使用周波数帯での周波数で信号が検波されず、制御部１４でＢＳＤのＴＶ放送ネットワークは受信不能と判定された場合は、受信不能フラグである１がＦ（１）に代入される（ステップ４）。この結果のＦ（１）の値は、制御部１４に格納される。
【００４０】
次に、変数のＮ＝Ｍかどうかの比較をする（ステップ５）。この場合、Ｎ＝５でなければ、ステップ６にてＮ＝Ｎ＋１の処理を行い、ステップ２に戻って、“ＮＥＴ”＝ＮにおけるＴＶ放送ネットワークが使用する周波数帯の周波数で信号が検波できるか判定をする。
【００４１】
その後、他のＴＶ放送ネットワークに対しても上述の判定をステップ２、ステップ３、ステップ４に従って繰り返す。そして、本実施形態では、ＢＳＤ（“ＮＥＴ“＝１）より”ＮＥＴ“＝５である地上ＡまでのＴＶ放送ネットワーク各々の使用周波数帯の周波数での信号の検波による判定が終われば、ステップ５でＮ＝Ｍになる。ここで、上述したステップ１乃至ステップ６は、放送受信機２０の主電源がＯＦＦされたタイミングで行なわれる。
【００４２】
次に、ＡＢＳ（Ｆ（Ｎ））＝１の値が代入されているＦ（Ｎ）のＮを読み出す（ここで、ＡＢＳはＡｂｕｓｏｌｕｔｅであって、カッコ内の数字及び数式の絶対値をとる命令を示す）（ステップ７）。この方法によって受信不能と判定されたＴＶ放送ネットワーク名を呼び出す。
【００４３】
次に、Ｆ（Ｎ）のＮに対応した“ＮＥＴ”を表示部１７に表示して、受信不能と判定されたＴＶ放送ネットワークをユーザーに報知する（ステップ８）。
【００４４】
次に、表示部１７に表示した受信不能なＴＶ放送ネットワークから、ユーザーがＴＶ放送ネットワークの切替指示を無効化したいものを選択したか判定する（ステップ９）。
【００４５】
次に、ユーザーが選択したＴＶ放送ネットワークに対する切替指示を無効化する（ステップ１０）。このとき、ステップ９にてユーザーが選択したＴＶ放送ネットワークの切替指示を無効化する情報を基に、制御部１４とリモコン受信部１６で受信したリモコン信号に対し、所定の処理を施すことで、該当するＴＶ放送ネットワークへの選択キー操作を無効にする。これにより、受信できないと判定されたＴＶ放送ネットワークの削除が完了する。このとき、放送受信装置２１にある機器間及び回路間で物理的な接続を切断することで無効化を行なっているのではない。その後、本フローは終了する（ＥＮＤ）。
【００４６】
ここで、上述したステップ７乃至ステップ１０のＴＶ放送ネットワークの無効化処理は、放送受信機２０の主電源をＯＮにした後に行なわれるものである。
【００４７】
次に、上述の処理が行なわれた後に、リモコン装置１８に付されたネットワーク切替キー４０をユーザーが押下し、受信するＴＶ放送ネットワークの切替を指示する場合の動作を、図５のフローチャートと共に説明する。
【００４８】
変数Ｎに１が代入される（ステップ１０１）。Ｎは、上述した図４のフロー同様に“ＮＥＴ”に係る数値であって、対象となるＴＶ放送ネットワークを示すものである。
【００４９】
次にユーザーによってネットワーク切替キー４０が押下されたかを判定し（ステップ１０２）、押下されれば、ＮとＭを比較する（ステップ１０３）。この時、Ｎ＞Ｍであれば、ステップ１０１へ戻る。このＮ＞Ｍとなるときは、ＴＶ放送ネットワークでＭ番目のＴＶ放送ネットワークの選択が終了したときである。よってこの場合、再度、Ｎ＝１にして、ステップ１０１よりネットワーク切替キーの切替指示処理をおこなう。
【００５０】
ステップ１０３でＮがＭより大きくなければ、次に、Ｆ（Ｎ）を読み出す（ステップ１０４）。今の場合、Ｎ＝１であるから、Ｆ（１）の値を読み出す。ここで、Ｆ（Ｎ）は、上述の図４のフローにより該当するＴＶ放送ネットワークの使用周波数帯の周波数で信号が検波されるか判定した結果が納められているものである。この結果より、Ｆ（Ｎ）に０が納められていれば、該当するＴＶ放送ネットワークは受信可能であり、１がＦ（Ｎ）に納められていれば受信不能である。
【００５１】
次に“ＮＥＴ“＝Ｎに対応するＦ（Ｎ）が０か判定する（ステップ１０５）。Ｎ＝１の時はＦ（１）について、つまり、ＴＶ放送ネットワークがＢＳＤについて受信の可能な判定であったかを判定する。このとき、Ｆ（Ｎ）が０でなければ、Ｎ＝Ｎ＋１にし（ステップ１０８）、ステップ１０３へ戻り、次のＮに対応するＦ（Ｎ）を読み出し、Ｆ（Ｎ）が１になるものが現れるまでこの処理を繰り返す。
【００５２】
次に、ステップ１０５で、Ｆ（Ｎ）が０であればＮに対応したＴＶ放送ネットワークに対して切替指示を行なう（ステップ１０６）。
【００５３】
その後、表示部１７へＮに対応したＴＶ放送ネットワークが表示される。次に、Ｎ＝Ｎ＋１にし（ステップ１０７）、ステップ１０２へ戻り、再度、ユーザーによってネットワーク切替キー４０が押下されれば（ステップ１０２）、ステップ１０４及びステップ１０５のステップで、Ｆ（Ｎ）が１のＮが現れるまで、同様の処理を繰り返す。
【００５４】
そして、上述したようにステップ１０３にてＮ＞Ｍになれば、Ｎ＝１にして、再度ＴＶ放送ネットワークに対し同様の処理をする。
【００５５】
以上のとおり、受信不能なＴＶ放送ネットワークに対する受信切替処理をしないでスキップするように制御するから、受信可能なＴＶ放送ネットワークへ、素早く切替表示後、ユーザーが視聴できる。加えて、ユーザーのキー操作数は減少するから操作性が向上し、ユーザービリティの高い放送受信装置を提供することができる。
【００５６】
さらに、本実施形態により受信が不能と判定し、受信切替処理を行なわないようにした無効化したＴＶ放送ネットワークに対しては、ＮＩＴ等の番組に関する情報を取得する処理を行わないですむことから、放送受信装置２１内での余計な処理が減る。よって、受信不能なＴＶ放送ネットワークへの切替指示を無効化することで、この間のユーザーに待ち時間を与えないですむ。
【００５７】
さらに、視聴可能なＴＶ放送ネットワークのサービスが変化するのに伴い、放送受信装置２１で切替受信可能になるＴＶ放送ネットワークについて追加及び削除が随時行える。例えば、現在存在するＢＳＤやＣＳＤといったサービスが、将来的に存在しなくなる場合も考えられるのであるが、このような場合であっても本実施形態によれば有効に対応できる。
【００５８】
（実施の形態２）
次に、本発明の放送受信装置の実施形態２について、図６乃至図９とともに説明するが、上述した発明の実施形態１と同一部分には同一符号を付し、その説明は省略する。ここで、図６は本実施形態の放送受信装置の概略構成を示すブロック図、図７は本実施形態のリモコン装置を示す外観図、図８は本実施形態の機械的な不具合とＴＶ放送ネットワーク受信可否を判定し無効化する方法を示すフローチャート、図９は本実施形態におけるＴＶ放送ネットワークの切替処理を示すフローチャートを示す説明図である。
【００５９】
本実施形態の放送受信装置２１は、図６に示すように、上述した実施形態１の構成に加えて、アンテナ１、４、７と放送受信機２０との機械的な接続状態の不具合を検出する不具合判断部１５が備わっており、制御部２２と接続されている。制御部２２は、構成部の各々と接続されており、各部への命令、判定結果の判断をする。
【００６０】
次に本実施形態で用いるリモコン装置１８は、図７に示すように、ＢＳＤネットワーク切替キー４１、ＣＳ１Ｄネットワーク切替キー４２、ＣＳ２Ｄネットワーク切替キー４３、地上Ｄネットワーク切替キー４４、及び地上Ａネットワーク切替キー４５が付されており、各々の切替キーを押下することで、直接対応するＴＶ放送ネットワークに切替えることが可能である。
【００６１】
次に、本実施形態に係るＴＶ放送ネットワークの切替指示を無効化する処理について、図８のフローとともに説明する。また、説明中の処理上のステップは、図８に付されたＳを示す。
【００６２】
まず、初めに、変数等の初期化を行なう（ステップ００１）。変数が持つ役割は、上述した実施形態１と同様である。Ｎ＝１を代入し、Ｍ＝５を代入し、Ｆ（Ｎ）（Ｎ＝１〜Ｍ）に０を代入する。
【００６３】
“ＮＥＴ”＝Ｎにおける機械的な接続不良を不具合判断部１５により調査する（ステップ００２）。ここで、不具合とは、アンテナ部の接続不良や、断線といった機械的不備によるＴＶ放送ネットワークの視聴不能の要因を言う。
【００６４】
次に“ＮＥＴ”＝Ｎにおいて機械的接続による不具合が生じているかを検出して判定する（ステップ００３）。これは、不具合判断部１５の結果を基に制御部２２で行なわれる。
【００６５】
ＴＶ放送ネットワークに機械的接続の不備による不具合が生じていないのであればステップ００５へ進む。
【００６６】
一方で、先のステップ００３で不具合が生じていると判定した場合は、機械的接続の不具合の状態を表す−１をＦ（Ｎ）に代入する。（ステップ００４）。例えば、“ＮＥＴ”＝１のときにＦ（１）＝−１が代入されたのであれば、ＢＳＤは機械的接続等の不具合が生じていると検出し判定したことになる。このとき、Ｆ（Ｎ）の値は、制御部２２に格納する。
【００６７】
次に、Ｎ＝Ｍかどうか比較する（ステップ００５）。上述した、ステップ００３で機械的接続の不具合が生じていないと判定した場合は、ステップ００５を実行する。次に、ＮとＭが異なれば、Ｎ＝Ｎ＋１の処理をする（ステップ００６）。これによって、新たな“ＮＥＴ”＝Ｎについて、次のＴＶ放送ネットワークでの機械的接続の不具合が生じているかを検出する。そして、不具合が生じていると判定したのであれば、上述と同様にＦ（Ｎ）＝−１とする。これらの処理をＮ＝Ｍになるまで繰り返す。
【００６８】
その後、ステップ００５にてＮ＝Ｍの比較を行ない、Ｎ＝Ｍであれば、全てのＴＶ放送ネットワークに関して機械的接続の不備の検出と判定が終了したものとみなす。
【００６９】
次にＮ＝１を代入する（ステップ００７）。これによって、Ｎを初期化する。次にＮに対応したＦ（Ｎ）を読出す（ステップ００８）。
【００７０】
Ｆ（Ｎ）＝−１かどうか判定をする（ステップ００９）。上述したように、Ｆ（Ｎ）が−１であることは、不具合判断部によって不具合が生じているものとされたＴＶ放送ネットワークである。
【００７１】
次に、Ｎ＝Ｎ＋１にする（ステップ０１４）。その後ステップ００８へ戻り、更新したＮの値に対応したＦ（Ｎ）を読出す。
【００７２】
一方で、ステップ００９でＦ（Ｎ）＝−１かの判定をする際に、Ｆ（Ｎ）が−１でなければ、“ＮＥＴ”＝Ｎにおける使用周波数帯での周波数の信号を検波する（ステップ０１０）。次に、“ＮＥＴ”＝Ｎにおいて使用周波数帯の周波数より信号が検波できたかによってＴＶ放送ネットワーク受信の可否判定をする（ステップ０１１）。ここでは、Ｎ＝１でＴＶ放送ネットワークとしてＢＳＤを選択しているときに、不具合判断部１５で接続不備の状態を検出して、機械的接続に起因した不具合が生じていないと判定していた場合にのみ、ＢＳ放送の使用周波数帯（１１．７〜１２．２ＧＨｚ）における周波数で信号の検波を行なって、検波が出来たのなら受信可能であるとの判定をする。
【００７３】
次に、判定を行っているＴＶ放送ネットワークが受信可能であるとした場合、ＮＥＴ＝Ｎ＋１にする（ステップ０１４）。例えば、元々Ｎ＝１であれば、本ステップでは、Ｎ＝２となるから、次の判定の対象となるＴＶ放送ネットワークは“ＮＥＴ”＝２になる。つまり、ＣＳ１Ｄの使用周波数帯（１２．２〜１２．７５ＧＨｚ）の周波数で信号が検波可能かを判定する。
【００７４】
次に先のステップ０１１で“ＮＥＴ”＝ＮでＴＶ放送ネットワークを受信不能と判定をすれば、受信不能である旨のフラグの１がＦ（Ｎ）に代入される。このとき、Ｆ（Ｎ）の値を制御部２２に格納する。
【００７５】
次に、Ｎ＝Ｍか比較する（ステップ０１３）。ＮがＴＶ放送ネットワーク数であるＭに達していないようであれば、ステップ０１４でＮ＝Ｎ＋１にして、次の“ＮＥＴ”＝Ｎに対応したＴＶ放送ネットワークの使用周波数帯の周波数で検波の可否判定を行い、結果をＦ（Ｎ）に書き込み、ＴＶ放送ネットワークの数であるＭに達するまで（Ｎ＝Ｍになるまで）繰り返される。
【００７６】
その後、ステップ０１３にてＮ＝Ｍになれば、終了する。つまり、“ＮＥＴ”＝５となれば、ＢＳＤより地上Ａまでの全てのＴＶ放送ネットワークに関して、受信可否の判定が終了したことになる。
【００７７】
尚、上述したステップ００１乃至ステップ０１４で説明した受信可否の判定処理は、放送受信機２０の主電源をＯＦＦにしたタイミングや、ユーザーによって受信可否の判定処理の指示がなされたタイミングで行なわれる。
【００７８】
その後、ＡＢＳ（Ｆ（Ｎ））＝１の値になるような、Ｆ（Ｎ）を読み出す（ステップ０１５）。ここでは、制御部２２にて保存していたＦ（Ｎ）に関して、Ｆ（Ｎ）が１と−１のものを読み出す。
【００７９】
次に、表示部１７に機械的接続の不具合と判定されたＴＶ放送ネットワークと受信可否の判定より受信不能であると判定されたＴＶ放送ネットワークを報知する（ステップ０１６）。このとき、先程のＦ（Ｎ）より、機械的接続の不具合と判定されたＴＶ放送ネットワークと受信可否の判定より受信不能である判定されたＴＶ放送ネットワークの番号Ｎを読み出して、対応した“ＮＥＴ”によるＴＶ放送ネットワーク名をユーザーに報知する。これは、受信可否判定より受信不能であると判定されたＴＶ放送ネットワークに対して切替指示の無効化の可否をダイアログ等でユーザーに提示している。
【００８０】
次に、報知した該ＴＶ放送ネットワークに対してユーザーが切替指示を無効化にすると選択したか判定する（ステップ０１７）。
【００８１】
最後に、ユーザーが選択した受信不能なＴＶ放送ネットワークに対する切替指示を無効化する（ステップ０１８）。そして、本フローは終了する（ＥＮＤ）。
【００８２】
尚、上述したステップ０１４乃至０１８で説明した切替表示を無効化にする処理は、放送受信機２０の主電源をＯＮにしたタイミングや、ユーザーによって切替表示を無効化処理の指示がなされたタイミングで行なわれる。
【００８３】
次に、上述の処理の後に、リモコン装置１８に付された、ダイレクトネットワーク切替キー４１〜４５を用いてＴＶ放送ネットワークを選択する場合について述図９のフローチャートとともに説明する。
【００８４】
まず、リモコン装置１８より所望のネットワーク切替キーが押下されて、その後、リモコン装置１８より信号Ｒｃ＝Ｎが送信される。ＮはＴＶ放送ネットワークと対応している。
【００８５】
次に放送受信装置２０側のリモコン受信部１６にて、信号Ｒｃ＝Ｎを受信する（ステップ２０１）。受信した情報は、制御部２２で処理する。次に、リモコン信号であるＲｃ＝ＮのＮよりＦ（Ｎ）を読み出す（ステップ２０２）。
【００８６】
次に、Ｆ（Ｎ）＝０か判定する（ステップ２０３）。Ｆ（Ｎ）が０であれば、上述したＴＶ放送ネットワークの受信可否判定結果より受信可能と判定したものであるから、指示操作のネットワーク切替キーに対応したＴＶ放送ネットワークで“ＮＥＴ“＝Ｎへの受信切替処理を行なう（ステップ２０４）。その後、表示部１７に所望のＴＶ放送ネットワークである“ＮＥＴ“＝Ｎを表示する。
【００８７】
一方で、ステップ２０３において、Ｆ（Ｎ）＝０でない（本実施形態の場合は１または−１）場合は、指示操作されたネットワーク切替キーに対応したＴＶ放送ネットワークへの切替指示は無効状態であることをユーザーに報知する（ステップ２０５）。
【００８８】
上述のとおり、本実施形態によれば、さらに、受信不能な原因が、機械的な接続不備であるか、所望のＴＶ放送ネットワークが検波できないものかの原因をユーザーは誤認することなく正確に認知できる。よってユーザーはこれら機械的接続の不具合に対して正確な対処を行なえる。さらに、原因が選択的に分かることからユーザーは選択的にＴＶ放送ネットワークへの切替指示を無効化にできる。
【００８９】
また、機械的接続不具合の判定は、放送受信機内部で信号処理部等の信号処理に関わる構成部に対して判定を行なっているのではなく、アンテナ接続のように放送受信機の外部に関して判定しているので、実行するタイミングの自由度は高く、放送信号の処理を妨げるような不都合を与えない。
【００９０】
さらに、機械的接続の不具合があるＴＶ放送ネットワークを検出しておき、不具合が接続されたＴＶ放送ネットワークを除いて受信可否判定を行なえば、受信可否判定のみ行なうよりも要する処理時間が短縮できる。さらに、短時間で上述の判定が行なえると、ユーザーが受信放送番組を視聴しているタイミングでも非常に実行しやすくなる。
【００９１】
本実施形態においては、不具合判断部１５では、地上デジタルアンテナ１やＢＳ／ＣＳデジタルアンテナ４の機械的接続の不具合を検出したが、本発明はこれに限られない。不具合判断部１５では、放送受信機２０内の地上デジタルチューナ２、ＢＳ／ＣＳデジタルチューナ５並びに地上アナログチューナ７といったチューナ部の故障（物理的或いは電気的な不具合）や、さらには、ＯＦＤＭ復調部３、ＱＰＳＫ復調部６並びにアナログ復調部８といった復調部の故障（物理的或いは電気的な不具合）を検出する構成としても良い。すなわち、判定手段の前段における物理的及び電気的要因による不具合を検出してもよい。
【００９２】
本実施形態においては、受信不能なＴＶネットワークに対する切替指示を無効化し、これに対応するネットワーク切替キーを押下した場合、該ネットワーク切替キーによる切替指示が無効である旨をユーザーに報知するものであったがこれに限られず、文字や画像による表示と共に音声により報知してもよい。さらには、切替指示操作を無効化されたネットワーク切替キーを押下すれば、無効になった切替指示機能とは異なる指示機能が割り当てられてもよい。
【００９３】
例えば、リモコン装置からは指示操作できなくて放送受信装置本体よりのみ指示操作できる指示機能を、無効化された放送ネットワークに対応するネットワーク切替キーで指示操作できるようにしてもよい。さらに、ユーザーにより所望の指示機能の割り当てができるようにしてもよい。また、リモコン装置であれば、他の電子機器とリモコン装置を共用して使用できるから、リモコン装置で操作可能な所望の電気機器の処理機能を割り当てるようにしてもよい。
【００９４】
このように、受信不能と判定して切替指示を無効化したＴＶ放送ネットワークを選択するための切替キーに別の機能を割り当てることから、リモコン装置のキーでブランク状態になってしまうものがなく、また、不使用な状態のキーを作らないことから、効率よく少ないキー数で放送受信装置を操作できる。
【００９５】
さらに、本実施形態においては、機械的な接続の不具合を判定し、ＴＶ放送ネットワークの受信可否判定と切替指示の無効化を行なったが、これに限られない。いつもこの順番で終了するとは限られないからである。ＴＶ放送ネットワークの受信可否判定処理と切替指示の無効化処理を行なった後に、さらに不具合を判定する処理のみ行われて終了してもよいし、ユーザーの意思により随時各々の受信可否判定と切替操作の無効化や不具合を判定する処理行えるようにしてもよい。
【００９６】
さらに、本実施形態において、全てのＴＶ放送ネットワークの受信可否の判定を行なった後に、受信不能と判定されたＴＶ放送ネットワークへの切替指示の無効化を行なったが、これに限られず、無効化処理をする前に確認の目的で再度受信可否判定や機械的接続による不具合を確認する処理を行なえるように構成してもよい。
【００９７】
さらに、本実施形態においては、受信装置の電源ＯＦＦ時にＴＶ放送ネットワークの受信可否の判定を行なったが、これに限られず、任意のタイミングで行うようにしてもよい。例えば、ユーザーが放送プログラムを視聴中や、ＣＭ時に全てのＴＶ放送ネットワークに対して受信可否判定を行ってもよい。さらには、ユーザーによってまたは工場出荷時にタイマーを設定しておいて、所望の時刻に判定をおこなえるようにしてもよい。これらにより、ユーザーにストレスを感じさせない、常に最適なＴＶ放送ネットワークの選択待ち状態を保つことができる。
【００９８】
本実施形態においては、受信の可否判定によってＴＶ放送ネットワークが存在しないと判定した場合、切替指示の無効化の要否についてダイアログ等でユーザーに報知することで、ユーザーの意思決定を促した。加えて、無効化の処理を自動的に行い、ユーザーが認識していない間に自動的にＴＶ放送ネットワークの無効化をするようにしてもよい。さらには、適当なタイミングにて再度判定を行い、無効になった切替指示を有効化するようにしてもよい。
【００９９】
本実施形態においては、ＴＶ放送ネットワークの操作部１９はリモコン装置１８に付されたものであったが、これに限られず、図３及び図７のリモコン装置１８に付されたキーと同一の機能を持ったキーを表示部または放送受信装置に付して、ＴＶ放送ネットワークの切替指示ができる構成であってもよい。この場合、操作部の押下により入力された指示情報は、直接制御部２２へ送られ、実施形態と同様の処理が行われることになる。
【０１００】
また、本実施形態による放送受信装置の構成は一例であってこれに限られない。装置の外観としては、放送受信装置と表示部とが一体化されたものであってもよい。また、ＢＳとＣＳ放送の受信に関しては、ＢＳ／ＣＳデジタルアンテナ４とＢＳ／ＣＳデジタルチューナ５とを共用した構成に限らず、ＢＳとＣＳ放送毎に別々にアンテナとチューナとを備えた構成であってもよい。加えて、放送受信装置の部品構成と、フロー図の変数の使用等アルゴリズムとは、本発明を説明するための一例であってこれに限られないことは言うまでもない。
【０１０１】
以上のとおり、本実施形態においては、複数の放送を受信可能な放送受信機と、前記放送受信機を遠隔操作する遠隔操作手段とからなり、前記放送受信機の操作部及び前記遠隔操作手段は、受信可能な特定ネットワークへの切替をする切替手段を備え、前記放送受信機の操作部または前記遠隔操作手段からの切替操作によりネットワークの切替を行なうようにした放送受信装置において、前記放送受信機は、複数のネットワークを選局するネットワーク選局手段と、ネットワーク内の同調可能な周波数をサーチする周波数サーチ手段と、前記ネットワーク内に受信可能なサービスが存在することを判別する機能と受信可能な前記特定ネットワークが無くなったことを判定する機能を備えた判別手段と、受信可能な前記特定ネットワークが無くなった際に、無くなった前記特定ネットワークへの前記切替手段のネットワーク切替機能を削除する削除手段とを具備してもよい。
【０１０２】
また、本実施形態は、放送受信機の機構的な不具合を判断する不具合判断手段を具備し、前記不具合判断手段は、上記特定ネットワークが無くなったことの判定を自動で行なう際に、前記放送受信機の機構的な不具合の判断結果に基づいて前記特定ネットワークの削除の判定を変更する機能を備えてもよい。
【０１０３】
さらに、本実施形態の判別手段は、上記特定ネットワークが無くなったことの判定を自動で行った後、削除の必要なネットワークが存在すると判定した場合に、無くなった上記特定ネットワークの削除の許可をユーザーに求めるためのネットワーク削除許可要求を表示手段に表示する機能を備えてもよい。
【０１０４】
さらに、本実施形態の判別手段は、上記特定ネットワークが無くなったことの判定を上記放送受信機の操作部や上記遠隔操作手段のユーザー操作により実行する機能を備えてもよい。
【０１０５】
また、本実施形態の削除手段は、受信可能な上記特定ネットワークが無くなった際に、前記特定ネットワークへの切替手段のネットワーク切替機能を削除し、削除された前記特定ネットワークへの切替手段にネットワーク切替機能とは異なる別の機能を割り当てる機能を備えてもよい。
【０１０６】
さらに、本実施形態は、複数の放送を受信可能な放送受信機の選局ネットワーク削除方法であって、複数のネットワークを選局するネットワーク選局工程と、ネットワーク内の同調可能な周波数をサーチする周波数サーチ工程と、受信可能な特定ネットワークへの切り替えを行なう切替工程と、前記ネットワーク内に受信可能なサービスが存在することを判別すると共に、受信可能な前記特定ネットワークが無くなったかの判定を行なう判別工程と、受信可能な前記特定ネットワークが無くなった際に、無くなった前記特定ネットワークへの切替手段のネットワーク切替機能を削除する削除工程を含むことを特徴とする放送受信機の選局ネットワーク削除方法でもよい。
【０１０７】
さらには、ネットワークが存在しなくなった場合、存在しなくなったネットワークへの切替手段のネットワーク切替機能を無効にすることにより、ユーザーに選局不可能なネットワークを選局させることを無くすことが可能な放送受信装置及び放送受信機の選局ネットワーク削除方法を得ることができる。
【図面の簡単な説明】
【０１０８】
【図１】本発明の実施形態１に係る放送受信装置の概略構成を示すブロック図である。
【図２】ＴＶ放送ネットワークのデジタル放送の方式比較を示す図である。
【図３】本発明の実施形態１に係るリモコン装置を示す概略図である。
【図４】本発明の実施形態１に係る受信可否判定と無効化処理とを示すフローチャートである。
【図５】本発明の実施形態１に係るＴＶ放送ネットワーク切替処理フローチャートである。
【図６】本発明の実施形態２に係る放送受信装置の概略構成を示すブロック図である。
【図７】本発明の実施形態２に係るリモコン装置を示す概略図である。
【図８】本発明の実施形態２に係る機械的な不具合の判断をするとともにＴＶ放送ネットワーク受信可否を判定し無効化する方法を示すフローチャートである。
【図９】本発明の実施形態２に係るＴＶ放送ネットワークの切替処理を示すフローチャートである。
【符号の説明】
【０１０９】
１  地上デジタルアンテナ
２  地上デジタルチューナ
３  ＯＦＤＭ復調部
４  ＢＳ／ＣＳデジタルアンテナ
５  ＢＳ／ＣＳデジタルチューナ
６  ＱＰＳＫ復調部
７  地上アナログチューナ
８  アナログ復調部
１０  信号処理部
１１  データ処理部
１２  映像処理部
１３  音声処理部
１４  制御部
１５  不具合判断部
１６  リモコン受信部
１７  表示部
１８  リモコン装置
１９  操作部
２０  放送受信機
２１  放送受信装置
２２  制御部
４０  ネットワーク切替キー
４１  ＢＳＤネットワーク切替キー
４２  ＣＳ１Ｄネットワーク切替キー
４３  ＣＳ２Ｄネットワーク切替キー
４４  地上Ｄネットワーク切替キー
４５  地上Ａネットワーク切替キー
【図１】
2005318564.tif 000003
【図２】
2005318564.tif 000004
【図３】
2005318564.tif 000005
【図４】
2005318564.tif 000006
【図５】
2005318564.tif 000007
【図６】
2005318564.tif 000008
【図７】
2005318564.tif 000009
【図８】
2005318564.tif 000010
【図９】
2005318564.tif 000011